(57)【要約】【課題】  光ディスクドライブユニットとビデオカセットドライブユニットとを筐体内の横方向に並設したコンパクトな複合映像記録再生機器を提供する。【解決手段】  ビデオカセットドライブユニット２２と薄型の光ディスクドライブユニット２３とを横方向に並設し、筐体１の内底部に位置し、ディスクドライブユニット２２，２３の電源回路部１６を備えたメイン基板１２を、光ディスクドライブユニット２３の下方に延在させて、この延在部に電源回路部１６を配置して複合映像記録再生機器のコンパクト化を図った。【選択図】      図１
2005346752.tif 000002
【特許請求の範囲】
【請求項１】
前面にビデオカセットの挿入部を有するビデオカセットドライブユニットと、前面に光ディスクの挿入部を有して前記ビデオカセットドライブユニットより薄型化された光ディスクドライブユニットと、前記ビデオカセットドライブユニットの制御部を有するメイン基板と、前記光ディスクドライブユニットの制御部を有する制御基板と、これらを組み込む筐体とを備え、この筐体に前記ビデオカセットドライブユニットと前記光ディスクドライブユニットとを、その挿入部の高さをほぼ揃えるようにして並設した複合映像記録再生機器において、前記光ディスクドライブユニットは、その挿入部の高さを前記ビデオカセットドライブユニットの挿入部に揃えるための支持脚部を有するフレーム体を備え、そのフレーム体の上面に前記制御基板を配置すると共に、前記メイン基板は、前記ビデオカセットドライブユニットと光ディスクドライブユニットの電源回路部を有してビデオカセットドライブユニットと筐体の内底部との間に配置し、さらに、該メイン基板を前記光ディスクドライブユニットの下方に延在させ、そのメイン基板の延在部には、前記支持脚部によって生じる前記メイン基板と光ディスクドライブユニットと空間部分に位置して前記電源回路部を配置するとともに、前記メイン基板の電源回路部より光ディスクドライブユニットへその駆動電力を光ディスクドライブユニットの制御基板を介して供給する配線部材を、そのメイン基板側の接続部を前記ビデオカセットドライブユニットと前記光ディスクドライブユニットの間に配置することで、前記配線部材を前記ビデオカセットドライブユニットと前記光ディスクドライブユニットの間に導通したことを特徴とする複合映像記録再生機器。
【請求項２】
前面にビデオカセットの挿入部を有するビデオカセットドライブユニットと、前面に光ディスクの挿入部を有して前記ビデオカセットドライブユニットより薄型化された光ディスクドライブユニットと、前記ビデオカセットドライブユニットの制御部を有するメイン基板と、前記光ディスクドライブユニットの制御部を有する制御基板と、これらを組み込む筐体とを備え、この筐体に前記ビデオカセットドライブユニットと前記光ディスクドライブユニットとを、その挿入部の高さをほぼ揃えるようにして並設した複合映像記録再生機器において、前記光ディスクドライブユニットは、その挿入部の高さを前記ビデオカセットドライブユニットの挿入部に揃えるための支持脚部を有するフレーム体を備え、そのフレーム体の上面に前記制御基板を配置すると共に、前記メイン基板は、前記ビデオカセットドライブユニットと光ディスクドライブユニットの電源回路部を有してビデオカセットドライブユニットと筐体の内底部との間に配置し、さらに、該メイン基板を前記光ディスクドライブユニットの下方に延在させ、そのメイン基板の延在部には、前記支持脚部によって生じる前記メイン基板と光ディスクドライブユニットと空間部分に位置して前記電源回路部を配置するとともに、前記メイン基板の電源回路部より光ディスクドライブユニットへその駆動電力を光ディスクドライブユニットの制御基板を介して供給する配線部材を、前記光ディスクドライブユニットと電源回路部との間を介して光ディスクドライブユニットの外側方より導通し、前記配線部材を光ディスクドライブユニットの下面に係止手段を介して保持したことを特徴とする複合映像記録再生機器。
【請求項３】
前面にビデオカセットの挿入部を有するビデオカセットドライブユニットと、前面に光ディスクの挿入部を有して前記ビデオカセットドライブユニットより薄型化された光ディスクドライブユニットと、前記ビデオカセットドライブユニットの制御部を有するメイン基板と、前記光ディスクドライブユニットの制御部を有する制御基板と、これらを組み込む筐体とを備え、この筐体に前記ビデオカセットドライブユニットと前記光ディスクドライブユニットとを、その挿入部の高さをほぼ揃えるようにして並設した複合映像記録再生機器において、前記光ディスクドライブユニットは、その挿入部の高さを前記ビデオカセットドライブユニットの挿入部に揃えるための支持脚部を有するフレーム体を備え、そのフレーム体の上面に前記制御基板を配置すると共に、前記メイン基板は、前記ビデオカセットドライブユニットと光ディスクドライブユニットの電源回路部を有してビデオカセットドライブユニットと筐体の内底部との間に配置し、さらに、該メイン基板を前記光ディスクドライブユニットの下方に延在させ、そのメイン基板の延在部には、前記支持脚部によって生じる前記メイン基板と光ディスクドライブユニットとの空間部分に位置して前記電源回路部を配置するとともに、前記メイン基板の電源回路部より光ディスクドライブユニットへその駆動電力を光ディスクドライブユニットの制御基板を介して供給する配線部材を、を前記光ディスクドライブユニットと電源回路部との間を介して光ディスクドライブユニットの外側方より導通し、前記電源回路部から発生するノイズが前記配線部材への影響を防止するためのシールドを設けたことを特徴とする複合映像記録再生機器。
【請求項４】
前面にビデオカセットの挿入部を有するビデオカセットドライブユニットと、前面に光ディスクの挿入部を有して前記ビデオカセットドライブユニットより薄型化された光ディスクドライブユニットと、前記ビデオカセットドライブユニットの制御部を有するメイン基板と、前記光ディスクドライブユニットの制御部を有する制御基板と、これらを組み込む筐体とを備え、この筐体に前記ビデオカセットドライブユニットと前記光ディスクドライブユニットとを、その挿入部の高さをほぼ揃えるようにして並設した複合映像記録再生機器において、前記光ディスクドライブユニットは、その挿入部の高さを前記ビデオカセットドライブユニットの挿入部に揃えるための支持脚部を有するフレーム体を備え、そのフレーム体の上面に前記制御基板を配置すると共に、前記メイン基板は、前記ビデオカセットドライブユニットと光ディスクドライブユニットの電源回路部を有してビデオカセットドライブユニットと筐体の内底部との間に配置し、さらに、該メイン基板を前記光ディスクドライブユニットの下方に延在させ、そのメイン基板の延在部には、前記支持脚部によって生じる前記メイン基板と光ディスクドライブユニットと空間部分に位置して前記電源回路部を配置するとともに、前記メイン基板の電源回路部より光ディスクドライブユニットへその駆動電力を光ディスクドライブユニットの制御基板を介して供給する配線部材を、そのメイン基板側の接続部を前記光ディスクドライブユニットの外側方より導出したことを特徴とする複合映像記録再生機器。
【請求項５】
前記電源回路部のスイッチングトランスをメイン基板の前後方向前寄り位置に配置すると共に、前記電源回路部のスイッチングトランスを挟んで電源一次側部をメイン基板の後ろ側に、電源二次側部をメイン基板の前側となるように配置し、前記配線部材を前記電源回路部の電源二次側部の側方位置より導出すると共に、映像音声信号の伝達用の配線部材を前記電源回路部の電源一次側部の後部側方位置に配置したことを特徴とする請求項１から４のいづれか１項に記載の複合映像記録再生機器。
【請求項６】
前面にビデオカセットの挿入部を有するビデオカセットドライブユニットと、前面に光ディスクの挿入部を有して前記ビデオカセットドライブユニットより薄型化された光ディスクドライブユニットとを筐体内に並設した複合映像記録再生機器において、
この複合映像記録再生機器の駆動・制御基板の構成は、光ディスクドライブユニットの制御回路部を搭載した制御基板と、ビデオカセットドライブユニットと光ディスクドライブユニットとの電源回路部及びビデオカセットドライブユニットの制御回路部を搭載したメイン基板とから成り、
前記光ディスクドライブユニットは、その媒体の挿入部の高さを前記ビデオカセットドライブユニットの媒体の挿入部に高さを揃えるための支持脚部を有するフレーム体を備え、そのフレーム体の上面には前記光ディスクドライブユニット制御基板を配置し、
前記メイン基板は、前記ビデオカセットドライブユニットと前記筐体の底部との間に配置し、該メイン基板は前記光ディスクドライブユニットの下方にまで延在させ、該メイン基板の延在部には前記電源回路部を配置すると共に、
前記メイン基板の前記電源回路部から前記光ディスクドライブユニットの制御基板へ電力を供給する可撓性配線部材と、映像音声信号の伝達用の配線部材とを、共に、前記ビデオカセットドライブユニットと前記光ディスクドライブユニットの間に形成した間隙部を通して配置したことを特徴とする複合映像記録再生機器。
【発明の詳細な説明】
【技術分野】
【０００１】
本発明は、ＤＶＤ、ＣＤ−Ｒ、ＣＤ−ＲＷ等の光ディスクドライブユニットとビデオカセットドライブユニットとを備えた複合映像再生機器に関し、特に筐体内の横方向にビデオカセットドライブユニットと、これより薄厚の光ディスクドライブユニットとを並設する構成の複合映像再生機器に関する。
【背景技術】
【０００２】
近年、光ディスク等の大容量の記録再生装置が実用化されると共に、これと従来使用されているビデオカセット記録再生装置とを備えた複合映像記録再生機器などの複合機器が開発され、それぞれの記録再生装置を別々に備えていると電源等をそれぞれの機器に重複して備えることとなるため複合化して重複した部品を共通化して機器をコンパクト化した複合電子機器が提供されている。
しかし、上記複合電子機器においては、記録再生装置とビデオカセット記録再生装置の両者を、複合電子機器の筐体内の横方向に並設した場合、筐体の横幅が大きくなり、機器内のレイアウトを工夫してできるだけ全体の大きさを小さくすることが求められている。
【０００３】
こうした複合電子機器の内部レイアウトとしては、たとえば、特許文献１には光ディスクに対する記録および／または再生を行うための光ディスク記録・再生装置と一体化された磁気記録・再生装置であって、磁気テープを有する磁気テープカセットを収納するための磁気テープカセット収納部と、前記磁気テープに対する記録および／または再生を行うためのヘッドと、少なくとも前記磁気テープに対する記録および／または再生を行うための電源を供給するための電源回路とを備え、前記ヘッドは、前記磁気テープカセット収納部の前記磁気テープの送り出し側または巻き取り側の何れか一方の側に配置され、前記電源回路は、前記一方とは異なる他方の側に配置されたものが記載されている。
【特許文献１】特開２００２−２３７１７６号公報
【発明の開示】
【発明が解決しようとする課題】
【０００４】
ところで上記した特許文献１で示す従来の複合電子機器によれば、磁気記録・再生装置の磁気テープカセット収納部に並設した光ディスク記録・再生装置の光ディスク収納部後方に電源回路基板を配置してトランスで発生するスイッチングノイズなど電源回路部で発生するノイズの磁気記録・再生装置、光ディスク記録・再生装置など他の構成部分に影響を無くす構成としていた。
【０００５】
ところが、磁気テープカセット収納部に並設した光ディスク記録・再生装置の後方に電源回路基板を配置する構成であるため、筐体は光ディスク記録・再生装置の後方に電源回路基板用の配置スペースを必要とし、したがって、筐体の奥行き寸法は大きなものとなっていた。
【０００６】
本発明は、上記課題に鑑みてなされたもので、ＤＶＤ等の大容量の光ディスクドライブユニットとビデオカセットドライブユニットとを筐体内の横方向に並設した構成であっても、コンパクトな複合映像記録再生機器を提供することを目的とする。
【課題を解決するための手段】
【０００７】
本発明の請求項１の複合映像記録再生機器は、前面にビデオカセットの挿入部を有するビデオカセットドライブユニットと、前面に光ディスクの挿入部を有して前記ビデオカセットドライブユニットより薄型化された光ディスクドライブユニットと、前記ビデオカセットドライブユニットの制御部を有するメイン基板と、前記光ディスクドライブユニットの制御部を有する制御基板と、これらを組み込む筐体とを備え、この筐体に前記ビデオカセットドライブユニットと前記光ディスクドライブユニットとを、その挿入部の高さをほぼ揃えるようにして並設した複合映像記録再生機器において、前記光ディスクドライブユニットは、その挿入部の高さを前記ビデオカセットドライブユニットの挿入部に揃えるための支持脚部を有するフレーム体を備え、そのフレーム体の上面に前記制御基板を配置すると共に、前記メイン基板は、前記ビデオカセットドライブユニットと光ディスクドライブユニットの電源回路部を有してビデオカセットドライブユニットと筐体の内底部との間に配置し、さらに、該メイン基板を前記光ディスクドライブユニットの下方に延在させ、そのメイン基板の延在部には、前記支持脚部によって生じる前記メイン基板と光ディスクドライブユニットと空間部分に位置して前記電源回路部を配置するとともに、前記メイン基板の電源回路部より光ディスクドライブユニットへその駆動電力を光ディスクドライブユニットの制御基板を介して供給する配線部材を、そのメイン基板側の接続部を前記ビデオカセットドライブユニットと前記光ディスクドライブユニットの間に配置することで、前記配線部材を前記ビデオカセットドライブユニットと前記光ディスクドライブユニットの間に導通したことを特徴とする。
【０００８】
本発明の請求項２の複合映像記録再生機器は、前面にビデオカセットの挿入部を有するビデオカセットドライブユニットと、前面に光ディスクの挿入部を有して前記ビデオカセットドライブユニットより薄型化された光ディスクドライブユニットと、前記ビデオカセットドライブユニットの制御部を有するメイン基板と、前記光ディスクドライブユニットの制御部を有する制御基板と、これらを組み込む筐体とを備え、この筐体に前記ビデオカセットドライブユニットと前記光ディスクドライブユニットとを、その挿入部の高さをほぼ揃えるようにして並設した複合映像記録再生機器において、前記光ディスクドライブユニットは、その挿入部の高さを前記ビデオカセットドライブユニットの挿入部に揃えるための支持脚部を有するフレーム体を備え、そのフレーム体の上面に前記制御基板を配置すると共に、前記メイン基板は、前記ビデオカセットドライブユニットと光ディスクドライブユニットの電源回路部を有してビデオカセットドライブユニットと筐体の内底部との間に配置し、さらに、該メイン基板を前記光ディスクドライブユニットの下方に延在させ、そのメイン基板の延在部には、前記支持脚部によって生じる前記メイン基板と光ディスクドライブユニットと空間部分に位置して前記電源回路部を配置するとともに、前記メイン基板の電源回路部より光ディスクドライブユニットへその駆動電力を光ディスクドライブユニットの制御基板を介して供給する配線部材を、前記光ディスクドライブユニットと電源回路部との間を介して光ディスクドライブユニットの外側方より導通し、前記配線部材を光ディスクドライブユニットの下面に係止手段を介して保持したことを特徴とする。
【０００９】
本発明の請求項３の複合映像記録再生機器は、前面にビデオカセットの挿入部を有するビデオカセットドライブユニットと、前面に光ディスクの挿入部を有して前記ビデオカセットドライブユニットより薄型化された光ディスクドライブユニットと、前記ビデオカセットドライブユニットの制御部を有するメイン基板と、前記光ディスクドライブユニットの制御部を有する制御基板と、これらを組み込む筐体とを備え、この筐体に前記ビデオカセットドライブユニットと前記光ディスクドライブユニットとを、その挿入部の高さをほぼ揃えるようにして並設した複合映像記録再生機器において、前記光ディスクドライブユニットは、その挿入部の高さを前記ビデオカセットドライブユニットの挿入部に揃えるための支持脚部を有するフレーム体を備え、そのフレーム体の上面に前記制御基板を配置すると共に、前記メイン基板は、前記ビデオカセットドライブユニットと光ディスクドライブユニットの電源回路部を有してビデオカセットドライブユニットと筐体の内底部との間に配置し、さらに、該メイン基板を前記光ディスクドライブユニットの下方に延在させ、そのメイン基板の延在部には、前記支持脚部によって生じる前記メイン基板と光ディスクドライブユニットとの空間部分に位置して前記電源回路部を配置するとともに、前記メイン基板の電源回路部より光ディスクドライブユニットへその駆動電力を光ディスクドライブユニットの制御基板を介して供給する配線部材を、前記光ディスクドライブユニットと電源回路部との間を介して光ディスクドライブユニットの外側方より導通し、前記電源回路部から発生するノイズが前記配線部材への影響を防止するためのシールドを設けたことを特徴とする。
【００１０】
本発明の請求項４の複合映像記録再生機器は、前面にビデオカセットの挿入部を有するビデオカセットドライブユニットと、前面に光ディスクの挿入部を有して前記ビデオカセットドライブユニットより薄型化された光ディスクドライブユニットと、前記ビデオカセットドライブユニットの制御部を有するメイン基板と、前記光ディスクドライブユニットの制御部を有する制御基板と、これらを組み込む筐体とを備え、この筐体に前記ビデオカセットドライブユニットと前記光ディスクドライブユニットとを、その挿入部の高さをほぼ揃えるようにして並設した複合映像記録再生機器において、前記光ディスクドライブユニットは、その挿入部の高さを前記ビデオカセットドライブユニットの挿入部に揃えるための支持脚部を有するフレーム体を備え、そのフレーム体の上面に前記制御基板を配置すると共に、前記メイン基板は、前記ビデオカセットドライブユニットと光ディスクドライブユニットの電源回路部を有してビデオカセットドライブユニットと筐体の内底部との間に配置し、さらに、該メイン基板を前記光ディスクドライブユニットの下方に延在させ、そのメイン基板の延在部には、前記支持脚部によって生じる前記メイン基板と光ディスクドライブユニットと空間部分に位置して前記電源回路部を配置するとともに、前記メイン基板の電源回路部より光ディスクドライブユニットへその駆動電力を光ディスクドライブユニットの制御基板を介して供給する配線部材を、そのメイン基板側の接続部を前記光ディスクドライブユニットの外側方より導出したことを特徴とする。
【００１１】
本発明の請求項５の複合映像記録再生機器は、請求項１から４のいづれか１項に記載の複合映像記録再生機器において、前記電源回路部のスイッチングトランスをメイン基板の前後方向前寄り位置に配置すると共に、前記電源回路部のスイッチングトランスを挟んで電源一次側部をメイン基板の後ろ側に、電源二次側部をメイン基板の前側となるように配置し、前記配線部材を前記電源回路部の電源二次側部の側方位置より導出すると共に、映像音声信号の伝達用の配線部材を前記電源回路部の電源一次側部の後部側方位置に配置したことを特徴とする。
【００１２】
本発明の請求項６の複合映像記録再生機器は、前面にビデオカセットの挿入部を有するビデオカセットドライブユニットと、前面に光ディスクの挿入部を有して前記ビデオカセットドライブユニットより薄型化された光ディスクドライブユニットとを筐体内に並設し、  この複合映像記録再生機器の駆動・制御基板の構成は、光ディスクドライブユニットの制御回路部を搭載した制御基板と、ビデオカセットドライブユニットと光ディスクドライブユニットとの電源回路部及びビデオカセットドライブユニットの制御回路部を搭載したメイン基板とから成り、前記光ディスクドライブユニットは、その媒体の挿入部の高さを前記ビデオカセットドライブユニットの媒体の挿入部に高さを揃えるための支持脚部を有するフレーム体を備え、そのフレーム体の上面には前記光ディスクドライブユニット制御基板を配置し、前記メイン基板は、前記ビデオカセットドライブユニットと前記筐体の底部との間に配置し、該メイン基板は前記光ディスクドライブユニットの下方にまで延在させ、該メイン基板の延在部には前記電源回路部を配置すると共に、前記メイン基板の前記電源回路部から前記光ディスクドライブユニットの制御基板へ電力を供給する可撓性配線部材と、映像音声信号の伝達用の配線部材とを、共に、前記ビデオカセットドライブユニットと前記光ディスクドライブユニットの間に形成した間隙部を通して配置したことを特徴とする。
【発明の効果】
【００１３】
本発明の請求項１及び請求項６の複合映像記録再生機器によれば、前面にビデオカセットの挿入部を有するビデオカセットドライブユニットと、前面に光ディスクの挿入部を有して前記ビデオカセットドライブユニットより薄型化された光ディスクドライブユニットと、前記ビデオカセットドライブユニットの制御部を有するメイン基板と、前記光ディスクドライブユニットの制御部を有する制御基板と、これらを組み込む筐体とを備え、この筐体に前記ビデオカセットドライブユニットと前記光ディスクドライブユニットとを、その挿入部の高さをほぼ揃えるようにして並設した複合映像記録再生機器において、前記光ディスクドライブユニットは、その挿入部の高さを前記ビデオカセットドライブユニットの挿入部に揃えるための支持脚部を有するフレーム体を備え、そのフレーム体の上面に前記制御基板を配置すると共に、前記メイン基板は、前記ビデオカセットドライブユニットと光ディスクドライブユニットの電源回路部を有してビデオカセットドライブユニットと筐体の内底部との間に配置し、さらに、該メイン基板を前記光ディスクドライブユニットの下方に延在させ、そのメイン基板の延在部には、前記支持脚部によって生じる前記メイン基板と光ディスクドライブユニットと空間部分に位置して前記電源回路部を配置するとともに、前記メイン基板の電源回路部より光ディスクドライブユニットへその駆動電力を光ディスクドライブユニットの制御基板を介して供給する配線部材を、そのメイン基板側の接続部を前記ビデオカセットドライブユニットと前記光ディスクドライブユニットの間に配置することで、前記配線部材を前記ビデオカセットドライブユニットと前記光ディスクドライブユニットの間に導通したものであるから、筐体内の横方向にビデオカセットドライブユニットと光ディスクドライブユニットを並設した構成であってもトランスを配置した電源回路部を筐体内の光ディスクドライブユニットの下方に設置するので、筐体の奥行きを並設したビデオカセットドライブユニットと光ディスクドライブユニットのうち、奥行き寸法大きいユニットの奥行き寸法に近似した寸法にできると共に、光ディスクドライブユニットの制御基板を光ディスクドライブユニットの上方に設置したので、筐体内の横方向にビデオカセットドライブユニットの制御部を有するメイン基板と光ディスクドライブユニットの制御基板とを並設せずにすみ、筐体の横幅を並設したビデオカセットドライブユニットと光ディスクドライブユニットの合わせた横幅寸法に近似した寸法にでき、したがって、コンパクトな複合映像記録再生機器を提供でき、かつ、配線部材を短かく構成できて、電源回路部のノイズの影響を受けづらいと共に筐体の小型化に貢献できる。
【００１４】
本発明の請求項２の複合映像記録再生機器によれば、前面にビデオカセットの挿入部を有するビデオカセットドライブユニットと、前面に光ディスクの挿入部を有して前記ビデオカセットドライブユニットより薄型化された光ディスクドライブユニットと、前記ビデオカセットドライブユニットの制御部を有するメイン基板と、前記光ディスクドライブユニットの制御部を有する制御基板と、これらを組み込む筐体とを備え、この筐体に前記ビデオカセットドライブユニットと前記光ディスクドライブユニットとを、その挿入部の高さをほぼ揃えるようにして並設した複合映像記録再生機器において、前記光ディスクドライブユニットは、その挿入部の高さを前記ビデオカセットドライブユニットの挿入部に揃えるための支持脚部を有するフレーム体を備え、そのフレーム体の上面に前記制御基板を配置すると共に、前記メイン基板は、前記ビデオカセットドライブユニットと光ディスクドライブユニットの電源回路部を有してビデオカセットドライブユニットと筐体の内底部との間に配置し、さらに、該メイン基板を前記光ディスクドライブユニットの下方に延在させ、そのメイン基板の延在部には、前記支持脚部によって生じる前記メイン基板と光ディスクドライブユニットと空間部分に位置して前記電源回路部を配置するとともに、前記メイン基板の電源回路部より光ディスクドライブユニットへその駆動電力を光ディスクドライブユニットの制御基板を介して供給する配線部材を、前記光ディスクドライブユニットと電源回路部との間を介して光ディスクドライブユニットの外側方より導通し、前記配線部材を光ディスクドライブユニットの下面に係止手段を介して保持したので、配線部材が電源回路の発熱部品に近づくことがなく、配線部材の取り扱いに便利である。
【００１５】
本発明の請求項３の配線部材によれば、前面にビデオカセットの挿入部を有するビデオカセットドライブユニットと、前面に光ディスクの挿入部を有して前記ビデオカセットドライブユニットより薄型化された光ディスクドライブユニットと、前記ビデオカセットドライブユニットの制御部を有するメイン基板と、前記光ディスクドライブユニットの制御部を有する制御基板と、これらを組み込む筐体とを備え、この筐体に前記ビデオカセットドライブユニットと前記光ディスクドライブユニットとを、その挿入部の高さをほぼ揃えるようにして並設した複合映像記録再生機器において、前記光ディスクドライブユニットは、その挿入部の高さを前記ビデオカセットドライブユニットの挿入部に揃えるための支持脚部を有するフレーム体を備え、そのフレーム体の上面に前記制御基板を配置すると共に、前記メイン基板は、前記ビデオカセットドライブユニットと光ディスクドライブユニットの電源回路部を有してビデオカセットドライブユニットと筐体の内底部との間に配置し、さらに、該メイン基板を前記光ディスクドライブユニットの下方に延在させ、そのメイン基板の延在部には、前記支持脚部によって生じる前記メイン基板と光ディスクドライブユニットとの空間部分に位置して前記電源回路部を配置するとともに、前記メイン基板の電源回路部より光ディスクドライブユニットへその駆動電力を光ディスクドライブユニットの制御基板を介して供給する配線部材を、前記光ディスクドライブユニットと電源回路部との間を介して光ディスクドライブユニットの外側方より導通し、前記電源回路部から発生するノイズが前記配線部材への影響を防止するためのシールドを設けたので電源回路部のノイズの影響をさらに受けにくい。
【００１６】
本発明の請求項４の配線部材によれば、前面にビデオカセットの挿入部を有するビデオカセットドライブユニットと、前面に光ディスクの挿入部を有して前記ビデオカセットドライブユニットより薄型化された光ディスクドライブユニットと、前記ビデオカセットドライブユニットの制御部を有するメイン基板と、前記光ディスクドライブユニットの制御部を有する制御基板と、これらを組み込む筐体とを備え、この筐体に前記ビデオカセットドライブユニットと前記光ディスクドライブユニットとを、その挿入部の高さをほぼ揃えるようにして並設した複合映像記録再生機器において、前記光ディスクドライブユニットは、その挿入部の高さを前記ビデオカセットドライブユニットの挿入部に揃えるための支持脚部を有するフレーム体を備え、そのフレーム体の上面に前記制御基板を配置すると共に、前記メイン基板は、前記ビデオカセットドライブユニットと光ディスクドライブユニットの電源回路部を有してビデオカセットドライブユニットと筐体の内底部との間に配置し、さらに、該メイン基板を前記光ディスクドライブユニットの下方に延在させ、そのメイン基板の延在部には、前記支持脚部によって生じる前記メイン基板と光ディスクドライブユニットと空間部分に位置して前記電源回路部を配置するとともに、前記メイン基板の電源回路部より光ディスクドライブユニットへその駆動電力を光ディスクドライブユニットの制御基板を介して供給する配線部材を、そのメイン基板側の接続部を前記光ディスクドライブユニットの外側方より導出したので、電源回路部のノイズの影響を受けにくいと共に配線部材の配線作業も容易である。
【００１７】
本発明の請求項５の複合映像記録再生機器によれば、請求項１から４記載のいづれか１項記載の複合映像記録再生機器において、前記電源回路部のスイッチングトランスをメイン基板の前後方向前寄り位置に配置すると共に、前記電源回路部のスイッチングトランスを挟んで電源一次側部をメイン基板の後ろ側に、電源二次側部をメイン基板の前側となるように配置し、前記配線部材を前記電源回路部の電源二次側部の側方位置より導出すると共に、映像音声信号の伝達用の配線部材を前記電源回路部の電源一次側部の後部側方位置に配置したので、映像音声信号の伝達用の配線部材が前記トランスのノイズの影響をほとんど受けることがない。
【発明を実施するための最良の形態】
【００１８】
以下、本発明の実施例を、発明を実施するための最良の形態として図面を用いて説明するが、これは本発明の一実施例であり、本発明をその図面記載の構成や実施例として説明する方法のとおりに限定するものではない。
【００１９】
図１は、上面パネルを取り外した状態の複合映像記録再生機器の斜視図である。同図に示すように、筐体１内の横方向には、ビデオカセットドライブユニットとこれより薄厚の光ディスクドライブユニットを並設し、ビデオカセットの挿入部と光ディスクの挿入部とがほぼ水平に構成されている。また、複合映像再生機器の筐体１は、底面フレーム３の後縁に背面フレーム４を一体に立設し、これに前記上面フレーム２と前面パネル５とがねじ止めされて固定されている。
【００２０】
前記上面フレーム２は、筐体１の上面及び左右側面を構成するよう縦断面形状が下向きに開口したコ字状を呈し、また、前記前面パネル５には、ビデオカセットの挿入部６及び光ディスクの挿入部７が形成され、これらの間に表示部８が設けられている。
【００２１】
さらに、前記前面パネル２には、ビデオカセット及び光ディスクの記録再生を操作するための操作ボタン９及び１０がビデオカセットの挿入部６及び光ディスクの挿入部７の下方に設けられている。前記背面フレーム４には、電源コードを取り付けるための切欠部１１が形成され、また、前記底面フレーム３には、図２の上面パネルを取り外した状態の複合映像記録再生機器の平面図で示すように、メイン基板１２がねじ止めして固定されている。該メイン基板１２は、底面フレーム３より僅かに狭幅な奥行きを有すると共に、底面フレーム３の横幅の３分の１程度の横幅を有し、その一側縁と底面フレーム３の前記ビデオカセットの挿入部６側に位置する一側縁とが近接するよう取り付けてある。
【００２２】
図３は、メイン基板の構成を示すメイン基板の平面図であり、図３に示すように、メイン基板１２は、その中央部の前部位置は、チューナーの選曲、ビデオテープの出し入れ、テープ走行／再生／録画／停止、タイマーカレンダー、時計、光ディスクの再生／停止などの作動制御をするマイコン部１３を構成し、メイン基板１２の一側部の後部位置はビデオテープの再生／録画のための信号処理を行う映像／音声処理部１４を構成する。そして、メイン基板１２の中央部の後部位置には、外部端子へ出力する映像音声信号と外部端子から入力された映像／音声信号のレベル調整を行う外部ジャック部１５を構成している。
【００２３】
さらに、メイン基板１２の前記ビデオカセットの挿入部６側である一側部とは反対側に位置する他側部は、電源回路部１６を構成しており、電源回路部１６は、電源一次側部１７、電源二次側部１８、及びスイッチングトランス１９とにより構成されるものであり、メイン基板１２の後部位置に電源一次側部１７を、その前部位置に電源二次側部１８を配設してあり、これら電源一次側部１７と電源二次側部１８とはこれらを跨いで他の回路素子よりも高さのあるスイッチングトランス１９を介して各々接続され、このスイッチングトランス１９はメイン基板１２の前寄りに位置して構成されている。
【００２４】
２０は前記前面パネル３より露出する外部映像音声入力端子、２１は背面フレーム４の中央部で露出する外部映像音声入力、光ディスク、ビデオ映像音声入出力端子群を示している。
【００２５】
図４は、前記筐体１内でメイン基板１２の上方の一側方にビデオカセットドライブユニット２２を、他側方に該ビデオカセットドライブユニット２２より薄厚な光ディスクドライブユニット２３を横方向に並設した構成の配置図を示したものである。
【００２６】
ビデオカセットドライブユニット２２と光ディスクドライブユニット２３とは、底面フレーム３の上面よりビデオカセットの挿入部６と光ディスクの挿入部７とがほぼ水平となる所要の高さ位置に配置されており、ビデオカセットドライブユニット２２より薄厚の光ディスクドライブユニット２３とメイン基板１２との間には、空間部２４が形成され、この空間部２４位置に、前記した電源回路部１６のスイッチングトランス１９、パワートランジスタなどの比較的高さ寸法のある回路素子が介在している。
【００２７】
図３に示す電源回路部１６の上方位置には、図５に示すフレーム体２５を介して光ディスクドライブユニット２３が取り付けてあり、この光ディスクドライブユニット２３は、筐体１の他側部側に位置すると共に、この光ディスクドライブユニット２３の上部に光ディスクドライブユニット２３の駆動制御及び音声、映像信号を制御する制御基板２６を前記フレーム体２５の上面に固定してあり、このフレーム体２５は、前記光ディスクドライブユニット２３に備えてあり、フレーム体２５には光ディスクドライブユニット２３の挿入部７の高さを前記ビデオカセットの挿入部６に揃えるための支持脚部２７を有している。この支持脚部２７は、薄型化した光ディスクドライブユニット２３の下方に前述した空間部２４を形成するものである。
【００２８】
２８は電源二次側部１８の出力側に接続したコネクターを示し、該コネクター２８は、図３に示すように、前記マイコン部１３と対向する前記電源二次側部１８の近傍位置のメイン基板１２に固設してあり、前記筐体１の横幅方向に対してはほぼ中央に位置している。
【００２９】
２９は可撓性のケーブルであり、光ディスクドライブユニット２３の駆動電力及び制御信号の伝達用の配線部材を示し、このコネクター２８に一端が接続された配線部材２９は、図４及び図５で示すように前記マイコン部１３と前記電源二次側部１８との間より上方に延びてその他端は前記光ディスクドライブユニット２３の制御基板２６に接続してある。配線部材２９の接続コネクターである光ディスクドライブユニットの制御回路部を搭載した制御基板２６上のコネクターは該制御基板２６のビデオカセットドライブユニット側の端部に配置されており、ビデオカセットドライブユニットのメイン基板上のコネクターは該メイン基板上の電源回路部よりもビデオカセットドライブユニット側の位置に配置されており、光ディスクドライブユニットとビデオカセットドライブユニットの間に形成された間隙に配線するのに容易に構成されている。
【００３０】
３０は可撓性のケーブルであり、映像音声信号の伝達用の配線部材を示し、一端が前記外部ジャック部１５にコネクター３１を介して接続した配線部材３０の中間部は前記スイッチングトランス１９より離れた位置の前記電源一次側部１７の後部一側方を通り、配線部材３０の他端はコネクターを介して前記光ディスクドライブユニット２３の制御基板２６の後部に接続してある。配線部材３０の接続コネクターである光ディスクドライブユニットの制御回路部を搭載した制御基板２６上のコネクターは該制御基板２６のビデオカセットドライブユニット側の端部に配置されており、ビデオカセットドライブユニットのメイン基板上のコネクターは該メイン基板上の電源回路部よりもビデオカセットドライブユニット側の位置に配置されており、光ディスクドライブユニットとビデオカセットドライブユニットの間に形成された間隙に配線するのに容易に構成されている。
【００３１】
以上のように構成することにより、筐体１の奥行きを並設したビデオカセットドライブユニット２２と光ディスクドライブユニット２３のうち、奥行き寸法大きいユニットの奥行き寸法に近似した寸法にできると共に、筐体１の横幅を並設したビデオカセットドライブユニット２２と光ディスクドライブユニット２３の合わせた横幅寸法に近似した寸法にでき、したがって、コンパクトな複合映像記録再生機器を提供でき、かつ、配線部材２９を短かく構成できて、電源回路部１６のノイズの影響を受けづらいと共に筐体の小型化に貢献でき、さらに、映像音声信号の伝達用の配線部材３０を前記電源回路部１６の電源一次側部の後部側方位置に配置したので、映像音声信号の伝達用の配線部材３０が前記トランスのノイズの影響をほとんど受けることがない。
【００３２】
さらに、ビデオカセットドライブユニット２２と薄型の光ディスクドライブユニット２３とを横方向に並設し、筐体１の内底部に位置し、ディスクドライブユニット２２，２３の電源回路部１６を備えたメイン基板１２を、光ディスクドライブユニット２３の下方に延在させて、この延在部に電源回路部１６を配置して複合映像記録再生機器のコンパクト化を図ったことにより、ビデオカセットドライブユニット２２より薄型化された光ディスクドライブユニット２３の下方の空間部を一般的に背の高い電源回路部１６を配置することが可能であり、スペースを有効に使うことができる。
【００３３】
以上、本発明の各実施例について詳述したが、本発明は、前記各実施例に限定されるものではなく、本発明の要旨の範囲内で種々の変形実施が可能である、例えば、図６、図７は、本発明の他の実施例を示し、前記コネクター２８に一端が接続した配線部材２９は前記マイコン部１３と前記電源二次側部１８との間より上方に延びると共に、中間部は電源二次側部１８の上方と前記光ディスクドライブユニット２３との間で横方向に延びその他端はコネクターを介して前記光ディスクドライブユニット２３の制御基板２６に接続してある。
【００３４】
この構成において、図６は配線部材２９の中間部を光ディスクドライブユニット２３の下面に設けた取付片３２，３２により保持して光ディスクドライブユニット２３の下面に沿って延設した場合を示し、この構成にあっては、配線部材２９が電源回路部１６の発熱部品に近づくことがなく、配線部材２９の取り扱いに便利である。この場合には、駆動電力及び制御信号の伝達用の配線部材２９及び映像音声信号伝達用の配線部材３０の接続コネクターである光ディスクドライブユニットの制御回路部を搭載した制御基板２６上のコネクターは該制御基板２６のビデオカセットドライブユニットと反対側の端部に配置されており、ビデオカセットドライブユニットのメイン基板上のコネクターは該メイン基板上の電源回路部よりもビデオカセットドライブユニット側の位置に配置されており、光ディスクドライブユニットとビデオカセットドライブユニットの間に形成された間隙に配線するのに容易に構成されている。
【００３５】
また、図７は配線部材２９の中間部を前記電源二次側部１８の上面と配線部材２９との間に介在するシールド板３３により電磁的に遮蔽した場合を示し、該シールド板３３は、前記メイン基板１２の端部にねじ止めしてあり、この構成に代えてシールドされた配線部材２９を用いてもよいことは勿論である。この構成にあっては、電源回路部１６のノイズの影響をさらに受けにくい。
【００３６】
さらに図８は配線部材２９の配線位置の他の実施例を示し、電源二次側部１８の出力側に接続したコネクター３４を、前記マイコン部１３と対向しない前記電源二次側部１８の近傍位置のメイン基板１２の他端部に固設してあり、このコネクター３４に一端が接続した配線部材２９は前記光ディスクドライブユニット２３の下面側より前記筐体２の他側面と対向する前記光ディスクドライブユニット２３の他側面の側方より上方に延びてその他端はコネクターを介して前記光ディスクドライブユニット２３の制御基板２６に接続してある。この構成にあっては、電源回路部１６のノイズの影響を受けにくいと共に配線部材２９の配線作業も容易である。
【図面の簡単な説明】
【００３７】
【図１】本発明の上面パネルを取り外した状態の複合映像記録再生機器の斜視図である。
【図２】同上、上面パネルを取り外した状態の複合映像記録再生機器の平面図である。
【図３】同上、メイン基板の構成を示すメイン基板の平面図である。
【図４】同上、配線部材の配置を示す構成図である。
【図５】同上、筐体他を省略した状態の背面図である。
【図６】配線部材の配置を示す他の実施例を示す構成図である。
【図７】配線部材の配置を示すさらに他の実施例を示す構成図である。
【図８】配線部材の配置を示すまたさらに他の実施例を示す構成図である。
【符号の説明】
【００３８】
１  筐体
３  底面フレーム
６  ビデオカセットの挿入部
７  光ディスクの挿入部
１２  メイン基板
１６  電源回路部
１９  トランス
２２  ビデオカセットドライブユニット
２３  光ディスクドライブユニット
２４  空間部
２５  フレーム体
２６  制御基板
２７  支持脚部
２８  コネクター
２９  ３０  配線部材
３１  コネクター
３２  取付片
３３  シールド板
【図１】
2005346752.tif 000003
【図２】
2005346752.tif 000004
【図３】
2005346752.tif 000005
【図４】
2005346752.tif 000006
【図５】
2005346752.tif 000007
【図６】
2005346752.tif 000008
【図７】
2005346752.tif 000009
【図８】
2005346752.tif 000010